(57)【要約】【課題】センサユニットとリーダとの間の通信において、センサユニットとリーダとの間に作物が存在する場合にも通信が阻害されにくい環境計測システムを提供する。【解決手段】環境計測システムは、線状の導体からなり、信号を伝送する伝送路と、周囲環境の湿度、温度、光の照度のうち少なくとも１つを検出するセンサを有し、伝送路と直接又は間接に電気的接続され、センサからの信号を伝送路に伝送する、複数のセンサユニットと、伝送路で伝送されてくる信号を受信するリーダと、を備え、伝送路の線状の導体のうち少なくとも一部は、農作物の誘引ヒモに含まれる。【選択図】図１
2020137477.tif 000002
【特許請求の範囲】
【請求項１】
線状の導体からなり、信号を伝送する伝送路と、
周囲環境の湿度、温度、光の照度のうち少なくとも１つを検出するセンサを有し、前記伝送路と直接又は間接に電気的接続され、前記センサからの信号を前記伝送路に伝送する、複数のセンサユニットと、
前記伝送路で伝送されてくる信号を受信するリーダと、
を備え、
前記伝送路の線状の導体のうち少なくとも一部は、農作物の誘引ヒモに含まれる、環境計測システム。
【請求項２】
前記センサユニットは、電池を有する、請求項１に記載の環境計測システム。
【請求項３】
前記伝送路は、電力を伝送し、
前記センサユニットは、電池を有さず、前記伝送路から電力を受ける、請求項１に記載の環境計測システム。
【請求項４】
前記センサユニットは、識別情報を格納したＩＣをさらに有する、請求項１から３のいずれか一項に記載の環境計測システム。
【請求項５】
前記伝送路と前記センサユニットとは、絶縁体を介して容量結合しており、前記センサユニットから前記伝送路へ信号を伝送する、請求項１から４のいずれか一項に記載の環境計測システム。
【請求項６】
前記センサユニットは、前記伝送路と容量結合および磁界結合の少なくとも一方を行うためのアンテナを有する、請求項１から５のいずれか一項に記載の環境計測システム。
【請求項７】
前記伝送路は、水平方向に延在する部分を有すると共に、前記水平方向において分岐を有する、請求項１から６のいずれか一項に記載の環境計測システム。
【請求項８】
前記伝送路は、水平方向に延在する部分を有すると共に、前記水平方向とは異なる方向に延びる分岐を有する、請求項１から７のいずれか一項に記載の環境計測システム。
【請求項９】
前記リーダと前記伝送路とは、所定間隔を空けて設けられ、前記リーダのアンテナと前記伝送路のアンテナとの間で信号を伝送する、請求項１から８のいずれか一項に記載の環境計測システム。
【請求項１０】
請求項１から９のいずれか一項に記載の環境計測システムと、
前記複数のセンサユニットを配置している環境の空調を行う空調部と、
前記リーダから取得した信号に基づいて前記空調部を制御する、制御部と、
を備えた、環境制御装置。
【請求項１１】
前記センサユニットは、少なくとも周囲環境の湿度を検出するセンサを有し、
前記環境に水分供給を行う水分供給部をさらに備え、
前記制御部は、前記環境計測システムによって得られる前記周囲環境の湿度に応じて、前記空調部と前記水分供給部とを制御して前記環境の湿度を制御する、請求項１０に記載の環境制御装置。
【請求項１２】
周囲環境を計測する環境計測システムであって、
線状の導体からなり、信号を伝送する伝送路と、
周囲環境の湿度、温度、光の照度のうち少なくとも１つを検出するセンサを有し、前記伝送路と直接又は間接に電気的接続され、前記センサからの信号を前記伝送路に伝送する、複数のセンサユニットと、
前記伝送路で伝送されてくる信号を受信するリーダと、
を含む、環境計測システムと、
前記複数のセンサユニットを配置している環境の空調を行う空調部と、
前記リーダから取得した信号に基づいて前記空調部を制御する、制御部と、
を備え、
前記伝送路の線状の導体のうち少なくとも一部は、農作物の誘引ヒモに含まれる、環境制御装置。
【請求項１３】
前記センサユニットは、少なくとも周囲環境の湿度を検出するセンサを有し、
前記環境に水分供給を行う水分供給部をさらに備え、
前記制御部は、前記環境計測システムによって得られる前記環境の湿度に応じて、前記空調部と前記水分供給部とを制御して前記環境の湿度を制御する、請求項１２に記載の環境制御装置。
【発明の詳細な説明】
【技術分野】
【０００１】
本発明は、植物栽培環境を計測する環境計測システム及び環境制御装置に関する。
【背景技術】
【０００２】
従来、センサ装置と、交信部と、受信部および交信部に対する通信制御を行う制御部と、交信部とインターネット網を介して通信する通信端末との４つの部材で構成される「栽培環境監視システム」が知られている（例えば、特許文献１参照。）。上記センサ装置は、温度、湿度および照度を計測するセンサを一つの筺体内に内蔵し、温度、湿度および照度の計測データを無線で送信する。交信部は、センサ装置から送信される計測データを受信する受信部、受信部で受診した計測データをインターネット網へ送出するとともに、インターネット網を介して外部機器と交信する。
【０００３】
上記先行技術では、独立したセンサ装置を園芸ハウス内に複数個設置することで、栽培環境の空間的なばらつきをリアルタイムで把握する仕組みを構築している。
【先行技術文献】
【特許文献】
【０００４】
【特許文献１】特開２０１８−１４８８４２号公報
【発明の概要】
【発明が解決しようとする課題】
【０００５】
しかし、上記先行技術では、センサ装置と受信部の間の無線通信において、センサ装置と受信部の間に作物（農作物）が存在する場合、作物が電波吸収体となるため通信が阻害されてデータ通信が十分に行えないといった不具合があった。
【０００６】
そこで、本発明は、センサユニットとリーダとの間の通信において、センサユニットとリーダとの間に作物が存在する場合にも通信が阻害されにくい環境計測システムを提供することである。
【課題を解決するための手段】
【０００７】
本発明に係る環境計測システムは、線状の導体からなり、信号を伝送する伝送路と、
周囲環境の湿度、温度、光の照度のうち少なくとも１つを検出するセンサを有し、前記伝送路と直接又は間接に電気的接続され、前記センサからの信号を前記伝送路に伝送する、複数のセンサユニットと、
前記伝送路で伝送されてくる信号を受信するリーダと、
を備え、
前記伝送路の線状の導体のうち少なくとも一部は、農作物の誘引ヒモに含まれる。
【０００８】
また、本発明に係る環境制御装置は、上記環境計測システムと、
前記複数のセンサユニットを配置している環境の空調を行う空調部と、
前記リーダから取得した信号に基づいて前記空調部を制御する、制御部と、
を備える。
【０００９】
さらに、本発明に係る環境制御装置は、周囲環境を計測する環境計測システムであって、
線状の導体からなり、信号を伝送する伝送路と、
周囲環境の湿度、温度、光の照度のうち少なくとも１つを検出するセンサを有し、前記伝送路と直接又は間接に電気的接続され、前記センサからの信号を前記伝送路に伝送する、複数のセンサユニットと、
前記伝送路で伝送されてくる信号を受信するリーダと、
を含む、環境計測システムと、
前記複数のセンサユニットを配置している環境の空調を行う空調部と、
前記リーダから取得した信号に基づいて前記空調部を制御する、制御部と、
を備え、
前記伝送路の線状の導体のうち少なくとも一部は、農作物の誘引ヒモに含まれる。
【発明の効果】
【００１０】
本発明に係る環境計測システムによれば、線状の導体からなる伝送路を用いてセンサユニットとリーダとの間の通信を行うので、センサユニットとリーダとの間に作物が存在する場合にも通信が阻害されにくい。また、伝送路の線状の導体は誘引ヒモに含まれるものであるので、伝送路として誘引ヒモとは異なる部材を用意する必要がなく、環境計測システムの設置が容易となる。
【図面の簡単な説明】
【００１１】
【図１】実施の形態１に係る環境計測システムの構成を示す概略図である。
【図２】実施の形態１に係る環境計測システムの構成を示すブロック図である。
【図３Ａ】環境計測システムにおけるセンサユニットの一例を示すブロック図である。
【図３Ｂ】環境計測システムにおける別例のセンサユニットを示すブロック図である。
【図３Ｃ】環境計測システムにおけるさらに別例のセンサユニットを示すブロック図である。
【図３Ｄ】環境計測システムにおけるさらに他の別例のセンサユニットを示すブロック図である。
【図４】実施の形態１に係る環境計測システムの動作を説明するための概略図である。
【図５】図４の環境計測システムの動作のフローチャートである。
【図６】変形例１に係る環境計測システムの構成を示す概略図である。
【図７Ａ】図６の水平方向に延在する伝送路と垂直方向に延在する伝送路とを接続するフックを示す概略図である。
【図７Ｂ】図６のセンサユニットを垂直方向に延在する伝送路に接続するタグを示す概略図である。
【図８】実施の形態２に係る環境計測システムを用いた環境制御方法を説明する概略図である。
【図９】図８の環境制御方法のフローチャートである。
【図１０】植物の葉における光合成と水分の蒸散との関係を示す概略図である。
【図１１】ビニールハウスにおけるカーテンの開放と湿気の除去との関係を示す概略図である。
【図１２】実施の形態２に係る環境制御装置の構成を示す概略図である。
【発明を実施するための形態】
【００１２】
第１の態様に係る環境計測システムは、線状の導体からなり、信号を伝送する伝送路と、
周囲環境の湿度、温度、光の照度の少なくとも１つを検出するセンサを有し、前記伝送路と直接又は間接に電気的接続され、前記センサからの信号を前記伝送路に伝送する、複数のセンサユニットと、
前記伝送路で伝送されてくる信号を受信するリーダと、
を備え、
前記伝送路の線状の導体のうち少なくとも一部は、農作物の誘引ヒモに含まれる。
【００１３】
第２の態様に係る環境計測システムは、上記第１の態様において、前記センサユニットは、電池を有してもよい。
【００１４】
第３の態様に係る環境計測システムは、上記第１の態様において、前記伝送路は、電力を伝送し、
前記センサユニットは、電池を有さず、前記伝送路から電力を受けてもよい。
【００１５】
第４の態様に係る環境計測システムは、上記第１から第３のいずれかの態様において、前記センサユニットは、識別情報を格納したＩＣをさらに有してもよい。
【００１６】
第５の態様に係る環境計測システムは、上記第１から第４のいずれかの態様において、前記伝送路と前記センサユニットとは、絶縁体を介して容量結合しており、前記センサユニットから前記伝送路へ信号を伝送してもよい。
【００１７】
第６の態様に係る環境計測システムは、上記第１から第５のいずれかの態様において、前記センサユニットは、前記伝送路と容量結合および磁界結合の少なくとも一方を行うためのアンテナを有してもよい。
【００１８】
第７の態様に係る環境計測システムは、上記第１から第６のいずれかの態様において、前記伝送路は、水平方向に延在する部分を有すると共に、前記水平方向において分岐を有してもよい。
【００１９】
第８の態様に係る環境計測システムは、上記第１から第７のいずれかの態様において、前記伝送路は、水平方向に延在する部分を有すると共に、前記水平方向とは異なる方向に延びる分岐を有してもよい。
【００２０】
第９の態様に係る環境計測システムは、上記第１から第８のいずれかの態様において、前記リーダと前記伝送路とは、所定間隔を空けて設けられ、前記リーダのアンテナと前記伝送路のアンテナとの間で信号を伝送してもよい。
【００２１】
第１０の態様に係る環境制御装置は、上記第１から第９のいずれかの態様に係る環境計測システムと、
前記複数のセンサユニットを配置している環境の空調を行う空調部と、
前記リーダから取得した信号に基づいて前記空調部を制御する、制御部と、
を備える。
【００２２】
第１１の態様に係る環境制御装置は、上記第１０の態様において、前記センサユニットは、少なくとも周囲環境の湿度を検出するセンサを有し、
前記環境に水分供給を行う水分供給部をさらに備え、
前記制御部は、前記環境計測システムによって得られる前記周囲環境の湿度に応じて、前記空調部と前記水分供給部とを制御して前記環境の湿度を制御する。
【００２３】
第１２の態様に係る環境制御装置は、周囲環境を計測する環境計測システムであって、
線状の導体からなり、信号を伝送する伝送路と、
周囲環境の湿度、温度、光の照度のうち少なくとも１つを検出するセンサを有し、前記伝送路と直接又は間接に電気的接続され、前記センサからの信号を前記伝送路に伝送する、複数のセンサユニットと、
前記伝送路で伝送されてくる信号を受信するリーダと、
を含む、環境計測システムと、
前記複数のセンサユニットを配置している環境の空調を行う空調部と、
前記リーダから取得した信号に基づいて前記空調部を制御する、制御部と、
を備え、
前記伝送路の線状の導体のうち少なくとも一部は、農作物の誘引ヒモに含まれる。
【００２４】
第１３の態様に係る環境制御装置は、上記第１２の態様において、前記センサユニットは、少なくとも周囲環境の湿度を検出するセンサを有し、
前記環境に水分供給を行う水分供給部をさらに備え、
前記制御部は、前記環境計測システムによって得られる前記環境の湿度に応じて、前記空調部と前記水分供給部とを制御して前記環境の湿度を制御する。
【００２５】
以下、実施の形態に係る環境計測システム及び環境制御装置について、添付図面を参照しながら説明する。なお、図面において実質的に同一の部材については同一の符号を付している。
【００２６】
（実施の形態１）
図１は、実施の形態１に係る環境計測システム１０の構成を示す概略図である。図２は、実施の形態１に係る環境計測システム１０の構成を示すブロック図である。
この環境計測システム１０は、線状の導体からなり、信号を伝送する伝送路１４、１４ａ、１４ｂと、複数のセンサユニット２０と、伝送路１４、１４ａ、１４ｂで伝送されてくる信号を受信するリーダ１１と、を備える。各センサユニット２０は、周囲環境、植物栽培環境の湿度、温度、日射量（光の照度）のうち少なくとも１つを検出するセンサ（例えば、湿度センサ）を有し、伝送路１４、１４ａ、１４ｂと直接又は間接に電気的接続され、センサからの信号（例えば、湿度情報が含まれる信号）を伝送路１４、１４ａ、１４ｂに伝送する。
【００２７】
この環境計測システム１０によれば、線状の導体からなる伝送路１４、１４ａ、１４ｂを用いてセンサユニット２０とリーダ１１との間の通信を行う。そこで、センサユニット２０とリーダ１１との間に障害物（作物の株（例えば植物体１）、柱、設備など）が存在する場合にも通信が阻害されにくく、安定した通信が行える。また、従来技術と比較して、伝送路１４、１４ａ、１４ｂ上に複数のセンサユニット２０を配置することで任意の場所の環境情報を手軽に取得することができる。さらに、例えば、ビニールハウス内の複数個所で環境情報を取得し、比較することでビニールハウス内の温度、湿度、日射量（光の照度）などのばらつきを把握することができる。
【００２８】
以下に、この環境計測システム１０を構成する部材について説明する。
【００２９】
＜伝送路＞
伝送路１４、１４ａ、１４ｂは、線状の導体、例えば、銅、アルミニウム、ステンレス等を用いることができる。伝送路１４と伝送路１４ａ、伝送路１４と伝送路１４ｂは互いに電気的に接続されている。この伝送路１４、１４ａ、１４ｂによって各センサユニット２０からの信号を伝送する。伝送路１４は、リーダ１１と直接又は間接に電気的接続された端部から延在する１本の導体であり、図１に示すように、１本の導体の伝送路１４から、分岐部を介して複数本の伝送路１４ａ、１４ｂに分岐している。また、伝送路１４は、図１では水平面内に延在し、垂直方向に２本の伝送路１４ａ、１４ｂに分岐しているが、これに限られない。例えば、伝送路１４ａ，１４ｂからさらに分岐させる複数分岐構造であってもよい。また、植物体１が地面から傾斜するように（地面の垂直方向から所定角度傾斜するように）伸びている場合、その傾斜するように伸びる植物体１に沿うように伝送路１４から地面に向かって傾斜するように分岐していてもよい。言い換えれば、伝送路１４ａ、１４ｂは、地面に向かって水平方向とは異なる方向に延びるように分岐していてもよい。また、伝送路１４は水平方向にさらに分岐してもよい。さらに、伝送路１４、１４ａ、１４ｂは、導体が露出するものであってもよく、あるいは、伝送路１４、１４ａ、１４ｂの線状の導体を樹脂で被覆してもよい。また、１本の導体の伝送路１４から分岐する伝送路は２本に限らず３本以上でもよい。さらに、環境計測システム１０は、このような伝送路１４、１４ａ、１４ｂのような伝送路の組を複数含むものであってもよい。
【００３０】
伝送路１４、１４ａ、１４ｂは、リーダ１１と有線で接続されていてもよく、あるいは、有線で接続されていなくてもよい。有線で接続されていない場合には、図１に示すように、リーダ１１のアンテナＡ（１２ａ）と伝送路１４のアンテナＢ（１２ｂ）との間で信号を無線通信で伝送する。
伝送路１４、１４ａ、１４ｂは、リーダ１１からセンサユニットへ電力を伝送してもよい。伝送路１４、１４ａ、１４ｂを介して電力を伝送する場合には、例えば、交流電流を伝送する。
【００３１】
また、植物体（農作物）１の茎を支持するための誘引ヒモの少なくとも一部を導体にすることで、誘引ヒモと伝送路１４ａ、１４ｂとを兼用することができる。誘引ヒモを兼用する箇所は、伝送路１４ａ、１４ｂの全部でなく、一部であってもよい。なお、図１において、誘引ヒモと植物体１との詳細な支持構造は省略されている。
【００３２】
＜センサユニット＞
図３Ａは、環境計測システム１０におけるセンサユニット２０の一例を示すブロック図である。図３Ｂは、環境計測システム１０における別例のセンサユニット２０ａを示すブロック図である。図３Ｃは、環境計測システム１０におけるさらに別例のセンサユニット２０ｂを示すブロック図である。図３Ｄは、環境計測システム１０におけるさらに他の別例のセンサユニット２０ｃを示すブロック図である。
センサユニット２０の最低構成は、図３Ａ乃至図３Ｄに示すように、周囲環境、すなわち植物栽培環境の湿度、温度、日射量（光の照度）のうち少なくとも１つを検出するセンサと、識別情報を有するＩＣとを有すればよい。例えば、センサ付きＩＣ２１を含むセンサユニット２０（図３Ａ）、ＩＣ２２とセンサ（マイコン付）２３とを含むセンサユニット２０ａ（図３Ｂ）、センサ付きＩＣ２１とアンテナ２４とを含むセンサユニット２０ｂ（図３Ｃ）、ＩＣ２２とセンサ（マイコン付）２３とアンテナ２４とを含むセンサユニット２０ｃ（図３Ｄ）等のいずれであってもよい。
【００３３】
また、このセンサユニット２０は、伝送路１４ａ、１４ｂと有線接続あるいは無線接続によって接続され、センサからの信号を伝送路１４、１４ａ、１４ｂに伝送する。センサユニット２０と伝送路１４、１４ａ、１４ｂとが無線接続される場合とは、例えば、センサユニット２０と伝送路１４ａ、１４ｂとを近接して配置し、センサユニット２０と伝送路１４ａ、１４ｂとを容量結合および磁界結合の少なくとも一方によって接続する等の場合のことである。この場合、センサユニット２０と伝送路１４ａ、１４ｂとが絶縁体を介していてもよい。例えば、センサユニット２０と伝送路１４ａ、１４ｂを両面テープを介して接着し、この両面テープを介して容量結合または磁界結合により接続させてもよい。容量結合する場合のセンサユニット２０と伝送路１４ａ、１４ｂとの間隔は、例えば、１００μｍ以下である。
【００３４】
またさらに、センサユニット２０は、伝送路１４ａ、１４ｂに巻き付けるように配置されてもよい。上記のように、センサユニット２０が伝送路１４ａ、１４ｂと無線接続する場合には、センサユニット２０ｂ，２０ｃのように、容量結合あるいは磁界結合用のアンテナ２４が設けられる必要がある。逆に言えば、センサユニット２０は、伝送路１４ａ、１４ｂと有線接続によって接続する場合は、電気的にこれらを接続するための配線さえあれば、アンテナ２４は不要となる。すなわち、例えばセンサユニット２０，２０ａのようなアンテナを有さないセンサユニットを用いることができる。なお、アンテナ２４は、例えば、コイル状導体、線状導体あるいは、平面状導体である。
【００３５】
センサユニット２０は、電池を有してもよく、あるいは、電池を含まなくてもよい。センサユニット２０が電池を含まない場合には、例えば、伝送路１４、１４ａ、１４ｂによって電力伝送を受ける。センサユニット２０が電池を含まない場合には、伝送路１４、１４ａ、１４ｂによって電力伝送を受ける必要があるため、電力の伝送が可能な範囲でセンサユニット２０を配置する。
センサユニット２０は、電池を有する場合にはセンサを自律的に起動させ、電池を含まない場合には電力の伝送を受けたときにセンサを起動させる。ただし、電池を有する場合であっても、一定時間アクティブにするための信号を受信しない場合に、スリープモード（電池による給電をオフする）に入ることにしてもよい。
【００３６】
センサによって、周囲環境、例えば、植物栽培環境の湿度を検出する。また、センサは、湿度、温度、光の照度のうち少なくとも１つを検出するものであってもよい。湿度、温度、光の照度のうち複数を検出する場合は、複数のセンサを含んでいてもよい。なお、センサは、ＩＣ内に内蔵されていてもよく（図３Ａ、図３Ｃ）、あるいは、ＩＣとは別に設けられていてもよい（図３Ｂ、図３Ｄ）。
【００３７】
＜リーダ＞
リーダ１１は、伝送路１４、１４ａ、１４ｂで伝送されてくる信号を受信する。この信号は、センサから送られてくる情報（例えば、湿度情報、温度情報、光の照度の情報のうち少なくとも１つ）を含む。リーダ１１と伝送路１４、１４ａ、１４ｂとが有線接続されている場合には有線で信号を受信する。一方、リーダ１１と伝送路１４、１４ａ、１４ｂとが有線接続されていない場合には、図１に示すように、リーダ１１のアンテナＡ（１２ａ）と伝送路１４、１４ａ、１４ｂのアンテナＢ（１２ｂ）との間で信号を無線通信で伝送してもよい。リーダ１１は、複数のセンサユニット２０からの信号を集約する。このリーダ１１は、設置位置が固定のものであってもよいし、携帯型のリーダであってもよい。
【００３８】
センサユニット２０が電池を含まない場合には、リーダ１１から伝送路１４、１４ａ、１４ｂを介してセンサユニット２０に電力を伝送する。電力を伝送することによって、センサユニット２０を起動させ、それによって起動したセンサによる湿度情報等を含む信号を受信できる。センサユニット２０が電池を含む場合には、リーダ１１から伝送路１４、１４ａ、１４ｂを介してセンサユニット２０に起動信号を伝送する。起動信号を伝送することによって、センサユニット２０を起動させ、それによってセンサユニット２０に含まれる電池をアクティブにし、電池による電力で起動したセンサによる湿度情報等を含む信号を受信できる。ただし、センサユニット２０に含まれる電池を常にアクティブにし、センサユニット２０からの起動信号がなくても、常にリーダ１１に信号を伝送することにしてもよい。
【００３９】
＜環境計測システムによる環境計測方法について＞
図４は、実施の形態１に係る環境計測システム１０の動作を説明するための概略図である。図５は、図４の環境計測システム１０の動作のフローチャートである。
この環境計測システムによる環境計測方法は、以下の工程を含む。
（１）リーダ１１から伝送路１４、１４ａ、１４ｂを介してセンサユニット２０に電力を伝送する（Ｓ０１）。
（２）電力の伝送を受けたセンサユニット２０でセンサを起動する（Ｓ０２）。センサの起動によって、その時点での周囲環境の、例えば湿度を検出する。
（３）センサユニット２０から、検出した環境情報（例えば湿度情報）に関する信号を伝送路１４、１４ａ、１４ｂを介してリーダ１１に伝送する（Ｓ０３）。各センサユニット２０に含まれるＩＣには個体を示す識別情報が付与されており、リーダ１１はどこの位置にあるセンサユニット２０の環境情報なのかを認識することができる。
【００４０】
以上によって、上記環境計測システム１０によって、任意の場所の湿度（飽差）を低コストで、簡便に計測することができる。なお、飽差とは、１ｍ３の空気の中にあと何グラムの水蒸気を含むことができるかを示す数値である。植物の光合成は、この飽差に影響を受け、適正な飽差の箇所にある場合に光合成が促進される。
【００４１】
上記環境計測システムによれば、電池等の電源を持たないセンサユニット２０を用いる場合には、例えば電池交換の手間が発生しない。また、電力伝送兼信号伝送ラインとして既存の作物誘引冶具である誘引ヒモの少なくとも一部を活用することで、新しいインフラの設置の手間がなく、かつ施設内の環境変化（気流の流れ、日射の遮蔽）を最小限にとどめることができる。上記の環境計測システムによれば、環境変化を抑制できるので、環境情報をより精度高く計測できる。さらに、栽培施設内の任意の複数の場所にセンサユニット２０を設置することで、３次元空間内の湿度分布を観測でき、飽差の空間分布を認知できる。そこで、後述する実施の形態３に係る環境制御方法及び環境制御装置等によって、空間的により均一な栽培環境を実現するための仕組み（循環送風、定植間隔など）を実現することができる。
【００４２】
（変形例１）
図６は、変形例１に係る環境計測システム１０ａの構成を示す概略図である。図７Ａは、図６の水平方向に延在する伝送路１４と垂直方向に延在する伝送路１４ａ、１４ｂとを接続するフック１５を示す概略図である。図７Ｂは、図６のセンサユニット２０を垂直方向に延在する伝送路１４ａ、１４ｂに接続するタグ１７を示す概略図である。
この環境計測システム１０ａは、実施の形態１に係る環境計測システムと対比すると、水平方向に延在する伝送路１４と垂直方向に延在する伝送路１４ａ、１４ｂとを直接接続せず、フック１５を介して接続している点で相違する。また、センサユニット２０を伝送路１４ａ、１４ｂに直接接続するのではなく、タグ１７を介して容量結合あるいは磁界結合している点で相違する。
【００４３】
タグ１７は、伝送路１４ａ、１４ｂと接して固定する固定部と、センサユニット２０を取り付けるセンサユニット取付部とを有する。このタグ１７を用いることで、伝送路１４ａ、１４ｂへのセンサユニット２０の取り付けが容易になる。さらに、センサユニット２０は、伝送路１４、１４ａ、１４ｂである誘引ヒモを植物体１に固定するためのクリップ１６（図６）に設けてもよい。
【００４４】
＜伝送路の接続＞
水平方向に延在する伝送路１４と垂直方向に延在する伝送路１４ａ、１４ｂとは、直接接続してもよく、あるいは、図６及び図７Ａに示すように、フック１５を介して接続してもよい。このフック１５は伝送路１４の導体と伝送路１４ａ、１４ｂの導体との間を接続する導体部分を含む。
【００４５】
＜センサユニットと伝送路との接続＞
センサユニット２０は、図７Ｂに示すように、タグ１７を介して伝送路１４ａ、１４ｂと容量結合あるいは磁界結合してもよい。
【００４６】
（実施例）
実施例に係る環境計測システムは、例えば、図６に示す環境計測システムと同様の構成を有する。この実施例では、トマトの園芸栽培施設において、誘引ヒモ（伝送路１４ａ、１４ｂ）を兼用する伝送路に、センサユニット２０として湿度センサを内蔵したＲＦＩＤタグを複数配置し、施設内の空間的なばらつきを調査した。なお、ＲＦＩＤタグは、アンテナとして機能するアンテナ部、ＩＣ、マイコン及び湿度センサから成り、電源は含まない（図３Ｄのセンサユニット２０ｃに対応。）。また、センサユニットであるＲＦＩＤタグは、電力伝送と信号伝送を兼ねた誘引ヒモ１４ａ、１４ｂに取り付けた。ここで、誘引ヒモ１４ａ、１４ｂは、樹脂被覆金属線を用いたが、炭素繊維など他の導体材料も用いることができる。誘引ヒモ１４ａ、１４ｂは、金属製のフック１５および水平方向に延在する伝送路１４と電気的に接続されている。また、伝送路１４には、リーダ１１と電力および情報を通信するためのアンテナ１２ｂを設けた。一方、リーダ１１にはアンテナ１２ａを設け、アンテナ１２ｂの近傍に設置し、アンテナ１２ａを介して通信を行ったところ、誘引ヒモ１４ａ、１４ｂに取り付けられた各センサユニットであるＲＦＩＤタグによる湿度センサの情報をそれぞれ読み取ることができた。
【００４７】
実施例に係る環境計測システムによれば、線状の導体からなる誘引ヒモ１４ａ、１４ｂ、金属製のフック１５および伝送路１４を用いてＲＦＩＤタグとリーダとの間の通信を行う。そこで、ＲＦＩＤタグとリーダとの間に障害物が存在する場合にも通信が阻害されにくく、安定した通信が行える。また、伝送路として誘引ヒモを活用し、伝送路上にＲＦＩＤセンサタグを配置することで任意の場所の環境情報を手軽に取得することができる。また、ビニールハウス内の複数個所で環境情報を取得し、比較することでビニールハウス内の温度、湿度、日射量（光の照度）などのばらつきを把握することができる。
【００４８】
（実施の形態２）
＜環境制御方法＞
図８は、実施の形態２に係る環境計測システム１０を用いた環境制御方法を説明する概略図である。図９は、図８の環境制御方法のフローチャートである。
この環境制御方法は、以下の各工程を含む。
（ａ）環境計測システムによって、周囲環境、例えば湿度を評価する（Ｓ１１）。この場合に、ある領域（場所）が高湿度な蒸散しにくい高湿度箇所（低飽差）５５である場合とする。
（ｂ）評価された湿度に応じて、湿度調整を行う（Ｓ１２）。この場合には、湿度を下げ、蒸散を促すために、例えば、ファン等の空調部４６による循環を強化する制御が行われる。ファンは精度良い湿度調整のため複数箇所ごとに設けることが好ましい。この空調部４６の機能によって、湿度の偏りが抑制される。
上記湿度調整によって、栽培植物の光合成が促進され、光合成の促進によって収量増加等の収量制御ができる。
この環境制御方法によって、湿度等の環境ばらつきを計測し、計測した環境ばらつきを解消するためにファンによる空調制御などを行うことで、作物の育成ばらつきの軽減が期待できる。また、目的とする収穫計画を達成するための環境制御ができる。
【００４９】
＜飽差と光合成との関係について＞
図１０は、植物体１の葉２における光合成と水分の蒸散との関係を示す概略図である。図１１は、ビニールハウスにおけるカーテンの開放と湿気の除去との関係を示す概略図である。
図１０に示すように、植物による光合成では、光、ＣＯ２、水が必要なだけでなく、水蒸気の蒸散が重要な要素となる。高湿度の場合には蒸散しにくい低飽差となり、光合成が適切に行われない。低湿度の場合にも蒸散しやすい高飽差となり、光合成が適正に行われない。そこで、従来は、図１１に示すように、高湿度の場合にはビニールハウス３０のカーテン３２を開放して水蒸気を外部に逃がしていた。
しかし、ビニールハウス３０の全体として水蒸気を逃がすと、適正な飽差の箇所が低湿度に傾き、むしろ蒸散しすぎる高飽差の箇所が生じるなどの問題が生じることを本発明者は見出した。
そこで、この環境制御方法では、局所的に蒸散しにくい低飽差の箇所（高湿度箇所）がある場合には、例えば、その低飽差の箇所について風を送って空調を行ったり、あるいは、蒸散しやすい高飽差の箇所（低湿度箇所）について、水分を供給して、湿度を制御したりして、全体として適正な飽差の箇所としている。
【００５０】
＜環境制御装置＞
図１２は、実施の形態２に係る環境制御装置５０の構成を示す概略図である。なお、図１２では、植物を省略している。
実施の形態２に係る環境制御装置５０は、周囲環境を計測する環境計測システム１０と、空調部４６ａ、４６ｂと、水分供給部４８ａ〜４８ｄと、制御部４０と、を備える。環境計測システムは、実施の形態１に係る環境計測システムを用いることができる。空調部４６ａ、４６ｂによって、複数のセンサユニットを配置している環境の空調を行う。水分供給部４８ａ〜４８ｄによって、環境に水分供給を行う。制御部４０によって、環境計測システムによって得られる環境の湿度に応じて、空調部４６ａ、４６ｂ又は水分供給部４８ａ〜４８ｄの少なくとも一方を制御して環境の湿度を制御する。なお、空調部および水分供給部の数はこれに限定されない。
【００５１】
この環境制御装置５０によれば、環境計測システムにおいて、線状の導体からなる伝送路１４、１４ａ、１４ｂ、１４ｃ、１４ｄを用いてセンサユニット２０とリーダ１１との間の通信を行う。そこで、センサユニット２０とリーダ１１との間に障害物（植物体等）が存在する場合にも通信が阻害されにくく、安定した通信が行える。これにより、蒸散しにくい高湿度箇所（低飽差）５５の領域（場所）については空調部４６ａ、４６ｂによって風５３ａ（強）、５３ｂ（弱）を送って、適切な湿度領域に制御できる。また、蒸散しすぎの低湿度箇所（高飽差）５６の領域（場所）については、水分供給部４８ａ〜４８ｄによって水分５４ａ（多）、５４ｂ（少）を供給して、適切な湿度領域に制御できる。その他の領域（場所）は適正な湿度範囲に収まっているので、特に何の制御も行わない。
なお、上記の湿度制御は、一例であって、これに限定されない。例えば、空調部４６ａ、４６ｂと水分供給部４８ａ〜４８ｄとを細かく制御することによって、全体の各領域（ａ）〜（ｌ）を個々に制御してもよい。また、さらに、環境の温度を変化させる温度制御部を用いてもよい。また、高湿度の場合の制御において、空調部４６ａ、４６ｂを用いる代わりに、あるいは空調部４６ａ、４６ｂと併用するように、図１１に示したビニールハウス３０のカーテン３２を所定区画ごとに分割し、高湿度の箇所の区画のカーテン３２を開放することによって制御してもよい。
【００５２】
以下に、この環境制御装置５０を構成する部材について説明する。
【００５３】
＜環境計測システム＞
環境計測システムとしては、実施の形態１に係る環境計測システムを用いることができる。
【００５４】
＜空調部＞
空調部４６ａ、４６ｂは、図１２に示すように、風５３ａ（風量（強））、５３ｂ（風量（弱））を送るファンであってもよく、あるいは送風する風の温度制御及び風量制御が可能なエアコンディショナーであってもよい。エアコンディショナーによって、上記温度制御部を用いる場合と同様に、飽差を制御できる。
【００５５】
＜水分供給部＞
水分供給部４８ａ〜４８ｄは、図１２に示すように、水分５４ａ（水量（多））、５４ｂ（少）を供給する散水栓、スプリンクラー等であってもよく、あるいは霧状の水分を散布する噴霧器等であってもよい。
【００５６】
＜制御部（コンピュータ装置）＞
制御部４０は、例えば、コンピュータ装置である。このコンピュータ装置としては、汎用的なコンピュータ装置を用いることができ、例えば、図１２に示すように、処理部４１、記憶部４２、表示部４３を含む。なお、さらに、入力装置、記憶装置、インタフェース等を含んでもよい。制御部４０によって、リーダ１１と、空調部４６ａ、４６ｂと、水分供給部４８ａ、４８ｂ、４８ｃ、４８ｄと、を制御する。
【００５７】
＜処理部＞
処理部４１は、例えば、中央処理演算子（ＣＰＵ）、マイクロコンピュータ、又は、コンピュータで実行可能な命令を実行できる処理装置であればよい。
【００５８】
＜記憶部＞
記憶部４２は、例えば、ＲＯＭ、ＥＥＰＲＯＭ、ＲＡＭ、フラッシュＳＳＤ、ハードディスク、ＵＳＢメモリ、磁気ディスク、光ディスク、光磁気ディスク等の少なくとも一つであってもよい。
記憶部４２には、プログラム４５（４５ａ、４５ｂ）を含む。なお、制御部３０がネットワークに接続されている場合には、必要に応じてプログラム４５をネットワークからダウンロードしてもよい。
【００５９】
＜プログラム＞
プログラム４５には、温度評価部４５ａ及び温度調整部４５ｂを含んでいればよい。湿度評価部４５ａによって、上記環境計測システムにより得られた環境の湿度を評価する。例えば、環境が低飽差（高湿度）であるか、高飽差（低湿度）であるか、あるいは、適正な湿度範囲であるか、を評価する。また、湿度調整部４５ｂによって、環境の湿度の評価に応じて環境の湿度を調整する。例えば、環境の評価が低飽差の場合には、空調部４６ａ、４６ｂによって湿度調整を行って、低飽差の箇所の湿度を下げる。一方、環境の評価が高飽差の場合には、水分供給部４８ａ、４８ｂ、４８ｃ、４８ｄによって、水分を供給して湿度を上げる。
【００６０】
＜表示部＞
表示部３３は、各領域（ａ）〜（ｌ）の飽差の状態に関するデータや湿度調整の必要性に関する情報を表示する。例えば、各領域（ａ）〜（ｌ）の飽差の状態をそれぞれ異なる色で表して、適正な湿度範囲にあるか否かを視覚的にわかりやすく表示してもよい。
【００６１】
なお、環境制御装置５０では、センサユニットに湿度センサを用いて湿度管理を行ったが、温度センサを有するセンサユニットによって温度管理することも可能である。この場合、温度が基準よりも高い箇所については温度を高くする空調制御を行い、温度が基準よりも低い箇所については、温度を低くする空調制御を行う。
【００６２】
また、日射量（光の照度）センサを有するセンサユニットによって日射量の管理することも可能である。この場合、日射量が基準よりも高い箇所については例えば、日射量を調整するためのシート状のフィルタを太陽と植物体との間に設けることができ、また、日射量が基準よりも低い箇所についてはランプによる光を照射することによって照度の調整を行うことが可能である。
また、環境制御装置５０は、センサユニットとしてこれらの湿度センサ、温度センサ、日射量（光の照度）センサのうち複数のセンサを有し、湿度、温度、光の照度のうち２以上を調整するように構成してもよい。
【００６３】
なお、本開示においては、前述した様々な実施の形態及び／又は実施例のうちの任意の実施の形態及び／又は実施例を適宜組み合わせることを含むものであり、それぞれの実施の形態及び／又は実施例が有する効果を奏することができる。
【産業上の利用可能性】
【００６４】
本発明に係る環境計測システムによれば、線状の導体からなる伝送路を用いてセンサユニットとリーダとの間の通信を行う。そこで、センサユニットとリーダとの間に障害物（作物の株（例えば植物）、柱、設備など）が存在する場合にも通信が阻害されにくく、安定した通信が行える。
【符号の説明】
【００６５】
１  植物体（農作物）
２  葉
３  茎
４  根
１０、１０ａ、１０ｂ、１０ｃ  環境計測システム
１１  リーダ
１２ａ  アンテナＡ
１２ｂ  アンテナＢ
１４  伝送路
１４ａ、１４ｂ、１４ｃ、１４ｄ  伝送路（誘引ヒモ）
１５  フック
１６  クリップ
１７  タグ
２０、２０ａ、２０ｂ、２０ｃ  センサユニット
２１  センサ付きＩＣ
２２  ＩＣ
２３  センサ（マイコン付）
２４  アンテナ
３０  ビニールハウス
３２  カーテン
３３  湿気
４０  制御部
４１  処理部
４２  記憶部
４３  表示部
４５  プログラム
４５ａ  湿度評価部
４５ｂ  湿度調整部
４６  空調部（ファン）
４６ａ、４６ｂ  空調部
４８ａ、４８ｂ、４８ｃ、４８ｄ、４８ｅ  水分供給部
５０  環境制御装置
５１  電力
５２  信号
５３ａ  風（強）
５３ｂ  風（弱）
５４ａ  水分（多）
５４ｂ  水分（少）
５５  高湿度箇所（低飽差）
５６  低湿度箇所（高飽差）
【図１】
2020137477.tif 000003
【図２】
2020137477.tif 000004
【図３Ａ】
2020137477.tif 000005
【図３Ｂ】
2020137477.tif 000006
【図３Ｃ】
2020137477.tif 000007
【図３Ｄ】
2020137477.tif 000008
【図４】
2020137477.tif 000009
【図５】
2020137477.tif 000010
【図６】
2020137477.tif 000011
【図７Ａ】
2020137477.tif 000012
【図７Ｂ】
2020137477.tif 000013
【図８】
2020137477.tif 000014
【図９】
2020137477.tif 000015
【図１０】
2020137477.tif 000016
【図１１】
2020137477.tif 000017
【図１２】
2020137477.tif 000018